(57)【要約】ヘッドセットコードホルダは、バッグと衣服の洋品とからなる物品のグループのうちの少なくとも１つの物品に取り付けられる本体と、本体に設けられ、ヘッドセットコードを受け止めて、解放可能に固定する溝とを備える。本体は、少なくとも１つの物品の第１の部分を、少なくとも１つの物品の第２の部分に開閉自在に閉じる開閉機構の一部、少なくとも１つの物品に沿って移動できるスライド可能な洋品の一部、その機能的構造とは無関係な美的特徴を有する装飾的なアクセサリの一部のいずれかである。
2011526456.tif 000002
【特許請求の範囲】
【請求項１】
バッグと衣類の洋品とからなる物品のグループのうちの少なくとも１つの物品に取り付けられる本体と、
上記本体に設けられ、ヘッドセットコードを受け止めて、解放可能に固定する第１の溝とを備え、
上記本体は、上記少なくとも１つの物品の第１の部分を、該少なくとも１つの物品の第２の部分に開閉自在に閉じる開閉機構の一部、上記少なくとも１つの物品に沿って移動できるスライド可能な洋品の一部、その機能的構造とは無関係な美的特徴を有する装飾的なアクセサリの一部のいずれかであることを特徴とするヘッドセットコードホルダ。
【請求項２】
上記第１の溝は、約２ｍｍ以下の直径を有することを特徴とする請求項１記載のヘッドセットコードホルダ。
【請求項３】
上記本体は、上記少なくとも１つの物品の第１の部分を該少なくとも１つの物品の第２の部分に開閉自在に閉じる開閉機構の一部であることを特徴とする請求項１記載のヘッドセットコードホルダ。
【請求項４】
上記本体は、上記開閉機構に一体形成されていることを特徴とする請求項３記載のヘッドセットコードホルダ。
【請求項５】
上記本体は、上記開閉機構に取外可能に取り付けられていることを特徴とする請求項３記載のヘッドセットコードホルダ。
【請求項６】
上記開閉機構は、ボタンであることを特徴とする請求項３記載のヘッドセットコードホルダ。
【請求項７】
上記開閉機構は、ジッパであることを特徴とする請求項３記載のヘッドセットコードホルダ。
【請求項８】
上記開閉機構は、バックル端部であることを特徴とする請求項３記載のヘッドセットコードホルダ。
【請求項９】
上記本体は、上記バックル端部に対して、上記溝の方向を回転させることを特徴とする請求項８記載のヘッドセットコードホルダ。
【請求項１０】
上記開閉機構は、スナップファスナであることを特徴とする請求項３記載のヘッドセットコードホルダ。
【請求項１１】
上記本体は、上記少なくとも１つの物品に沿って移動できるスライド可能な洋品の一部であることを特徴とする請求項１記載のヘッドセットコードホルダ。
【請求項１２】
上記本体は、上記スライド可能な洋品に一体形成されていることを特徴とする請求項１１記載のヘッドセットコードホルダ。
【請求項１３】
上記本体は、上記スライド可能な洋品に取外可能に取り付けられていることを特徴とする請求項１１記載のヘッドセットコードホルダ。
【請求項１４】
上記スライド可能な洋品は、ジッパであることを特徴とする請求項１１記載のヘッドセットコードホルダ。
【請求項１５】
上記スライド可能な洋品は、クリップであることを特徴とする請求項１１記載のヘッドセットコードホルダ。
【請求項１６】
上記スライド可能な洋品は、帯紐を通すコキであることを特徴とする請求項１１記載のヘッドセットコードホルダ。
【請求項１７】
上記第１の溝は、分割された溝壁によって画定されることを特徴とする請求項１６記載のヘッドセットコードホルダ。
【請求項１８】
上記本体は、その機能的構造とは無関係な美的特徴を有する装飾的なアクセサリの一部であることを特徴とする請求項１記載のヘッドセットコードホルダ。
【請求項１９】
上記本体は、上記装飾的なアクセサリに一体形成されていることを特徴とする請求項１８記載のヘッドセットコードホルダ。
【請求項２０】
上記本体は、上記装飾的なアクセサリに取外可能に取り付けられていることを特徴とする請求項１８記載のヘッドセットコードホルダ。
【請求項２１】
上記装飾的なアクセサリは、バッグ又は衣類の洋品を貫通するピンを備えることを特徴とする請求項１８記載のヘッドセットコードホルダ。
【請求項２２】
上記装飾的なアクセサリは、磁石を備えることを特徴とする請求項１８記載のヘッドセットコードホルダ。
【請求項２３】
上記本体に設けられ、ヘッドセットコードを受け止めて、解放可能に固定する第２の溝を更に備える請求項１記載のヘッドセットコードホルダ。
【請求項２４】
上記第１の溝と上記第２の溝は、互いに略平行であることを特徴とする請求項２３記載のヘッドセットコードホルダ。
【請求項２５】
上記第１の溝と上記第２の溝は、互いに非平行であることを特徴とする請求項２３記載のヘッドセットコードホルダ。
【請求項２６】
上記第１の溝と上記第２の溝は、交差していることを特徴とする請求項２５記載のヘッドセットコードホルダ。
【請求項２７】
バッグと衣服の洋品とからなる物品のグループのうちの少なくとも１つの物品に取り付けられる本体と、
上記本体に設けられ、ヘッドセットコードを受け止めて、解放可能に固定する第１の溝とを備え、
上記本体は、上記少なくとも１つの物品の第１の部分を、該少なくとも１つの物品の第２の部分に開閉自在に閉じる開閉機構の一部であることを特徴とするヘッドセットコードホルダ。
【請求項２８】
上記本体は、上記開閉機構に一体形成されていることを特徴とする請求項２７記載のヘッドセットコードホルダ。
【請求項２９】
上記本体は、上記開閉機構に取外可能に取り付けられていることを特徴とする請求項２７記載のヘッドセットコードホルダ。
【請求項３０】
上記開閉機構は、ボタンであることを特徴とする請求項２７記載のヘッドセットコードホルダ。
【請求項３１】
上記開閉機構は、ジッパであることを特徴とする請求項２７記載のヘッドセットコードホルダ。
【請求項３２】
上記開閉機構は、バックル端部であることを特徴とする請求項２７記載のヘッドセットコードホルダ。
【請求項３３】
上記本体は、上記バックル端部に対して、上記溝の方向を回転させることを特徴とする請求項３２記載のヘッドセットコードホルダ。
【請求項３４】
上記開閉機構は、スナップファスナであることを特徴とする請求項２７記載のヘッドセットコードホルダ。
【請求項３５】
上記本体に設けられ、ヘッドセットコードを受け止めて、解放可能に固定する第２の溝を更に備える請求項２７記載のヘッドセットコードホルダ。
【請求項３６】
バッグと衣服の洋品とからなる物品のグループのうちの少なくとも１つの物品に取り付けられる本体と、
上記本体に設けられ、ヘッドセットコードを受け止めて、解放可能に固定する第１の溝とを備え、
上記本体は、上記少なくとも１つの物品に沿って移動できるスライド可能な洋品の一部であることを特徴とするヘッドセットコードホルダ。
【請求項３７】
上記本体は、上記スライド可能な洋品に一体形成されていることを特徴とする請求項３６記載のヘッドセットコードホルダ。
【請求項３８】
上記本体は、上記スライド可能な洋品に取外可能に取り付けられていることを特徴とする請求項３６記載のヘッドセットコードホルダ。
【請求項３９】
上記スライド可能な洋品は、ジッパであることを特徴とする請求項３６記載のヘッドセットコードホルダ。
【請求項４０】
上記スライド可能な洋品は、クリップであることを特徴とする請求項３６記載のヘッドセットコードホルダ。
【請求項４１】
上記スライド可能な洋品は、帯紐を通すコキであることを特徴とする請求項３６記載のヘッドセットコードホルダ。
【請求項４２】
上記第１の溝は、分割された溝壁によって画定されることを特徴とする請求項４１記載のヘッドセットコードホルダ。
【請求項４３】
上記本体に設けられ、ヘッドセットコードを受け止めて、解放可能に固定する第２の溝を更に備える請求項３６記載のヘッドセットコードホルダ。
【請求項４４】
バッグと衣服の洋品とからなる物品のグループのうちの少なくとも１つの物品に取り付けられる本体と、
上記本体に設けられ、ヘッドセットコードを受け止めて、解放可能に固定する第１の溝とを備え、
上記本体は、その機能的構造とは無関係な美的特徴を有する装飾的なアクセサリの一部であることを特徴とするヘッドセットコードホルダ。
【請求項４５】
上記本体は、上記装飾的なアクセサリに一体形成されていることを特徴とする請求項４４記載のヘッドセットコードホルダ。
【請求項４６】
上記本体は、上記装飾的なアクセサリに取外可能に取り付けられていることを特徴とする請求項４４記載のヘッドセットコードホルダ。
【請求項４７】
上記装飾的なアクセサリは、バッグ又は衣服の洋品を貫通するピンを備えることを特徴とする請求項４４記載のヘッドセットコードホルダ。
【請求項４８】
上記装飾的なアクセサリは、磁石を備えることを特徴とする請求項４４記載のヘッドセットコードホルダ。
【請求項４９】
上記本体に設けられ、ヘッドセットコードを受け止めて、解放可能に固定する第２の溝を更に備える請求項４４記載のヘッドセットコードホルダ。
【発明の詳細な説明】
【関連出願】
【０００１】
本出願は、２００８年６月２７日に出願された係属中の米国仮特許出願第６１／１３３，４８７号（発明の名称「（HEADSET CORD HOLDER）」）に対する優先権を主張する。この仮特許出願は、引用することにより、本願に援用される。
【技術分野】
【０００２】
本発明は、コードホルダに関する。より詳しくは、本発明は、ヘッドセットコードを衣服及びバッグに固定する（affix）のに用いるヘッドセットコードホルダに関する。
【背景技術】
【０００３】
ヘッドセットコードは、ソース機器、例えば音楽プレーヤ又は携帯電話機からの信号を、ユーザが身に付けているイヤホンに伝送する。これらのヘッドセットコードは、一般的には、柔軟であり、ユーザによって邪魔にならない所に動かすことができるが、ユーザによるこのような操作は、コードが常に望ましくない位置に戻ろうとするので、不便であり（inconvenient）、多くの場合、非効率的である（inefficient）。
【発明の概要】
【発明が解決しようとする課題】
【０００４】
本発明は、ヘッドセットコードを衣服及びバッグに固定する（affix）のに用いるヘッドセットコードホルダを提供する。ｉＰｏｄ（商標）、ｉＰｈｏｎｅ（商標）、あらゆる他の同様の携帯電話機、ＭＰ３プレーヤ又は音楽プレーヤ用のコードを含むあらゆるヘッドセットコードを、固定することができる。ヘッドセットコードホルダは、標準的なイヤホンコードの直径を有する単純な溝を備えるが、ヘッドセットコードを溝に押し込んだときに、コードを所定の位置に保持するのに十分なタイトな開口（opening tight）を有する。この溝は、衣服及びバッグに縫い付け、ピン留め、又はクリップ留めすることができる様々な洋品（item）内に設計、すなわちモールド成形（designed into or molded into）することができる。
【課題を解決するための手段】
【０００５】
本発明の一特徴として、ヘッドセットコードホルダは、バッグと衣服の洋品とからなる物品（article）のグループのうちの少なくとも１つの物品に取り付けられる本体を備える。本体は、（ａ）少なくとも１つの物品の第１の部分を、少なくとも１つの物品の第２の部分に開閉自在に閉じる開閉機構（closure mechanism）の一部と、（ｂ）少なくとも１つの物品に沿って移動できるスライド可能な洋品の一部と、（ｃ）その機能的構造とは無関係な美的特徴を有する装飾的なアクセサリの一部とのいずれかである。また、ヘッドセットコートホルダは、本体に設けられた（built into）溝を有する。溝は、ヘッドセットコードを受け止めて（receive）、解放可能に固定する（releasably secure）。
【０００６】
幾つかの実施の形態においては、溝は、分割された溝壁によって画定される。幾つかの実施の形態においては、分割されて対向する溝壁は、互いにオフセットされ、互いに直接対向するように配列されていない。
【０００７】
幾つかの実施の形態においては、溝は、約２ｍｍ以下の直径を有する。幾つかの実施の形態においては、溝は、約１．５ｍｍ以下の直径を有する。なお、様々な溝の大きさは、本発明の範囲内である。
【０００８】
幾つかの実施の形態においては、本体は、開閉機構に一体形成（integrally formed）されている。幾つかの実施の形態においては、本体は、開閉機構に取外可能に取り付けられている。幾つかの実施の形態においては、開閉機構は、ボタン、ジッパ（zipper、商標）、スナップファスナ又はバックル端部である。開閉機構がバックル端部である幾つかの実施の形態においては、本体は、バックル端部に対して溝の方向を回転させる。
【０００９】
幾つかの実施の形態においては、本体は、スライド可能な洋品に一体形成されている。幾つかの実施の形態においては、本体は、スライド可能な洋品に取外可能に取り付けられている。幾つかの実施の形態においては、スライド可能な洋品は、ジッパ、クリップ、又は帯紐を通すコキ（slider）である。
【００１０】
幾つかの実施の形態においては、本体は、装飾的なアクセサリに一体形成されている。幾つかの実施の形態においては、本体は、装飾的なアクセサリに取外可能に取り付けられている。幾つかの実施の形態においては、装飾的なアクセサリは、バッグ又は衣服の洋品を貫通するピンを備える。幾つかの実施の形態においては、装飾的なアクセサリは、磁石を備える。
【００１１】
幾つかの実施の形態においては、第２の溝が、本体に設けられている。第２の溝は、ヘッドセットコードを受け止めて、解放可能に固定する。幾つかの実施の形態においては、第１の溝と第２の溝は、互いに略平行である。幾つかの実施の形態においては、第１の溝と第２の溝は、互いに非平行である。幾つかの実施の形態においては、第１の溝と第２の溝は、交差している。
【図面の簡単な説明】
【００１２】
【図１】図１Ａ〜１Ｄは、本発明の原理に基づいて、シャツのボタンにモールド成形された溝を有するヘッドセットコードホルダの一実施の形態を示す図である。
【図２】図２Ａ〜２Ｄは、本発明の原理に基づいて、ジッパ引具にモールド成形された溝を有するヘッドセットコードホルダの一実施の形態を示す図である。
【図３】図３Ａ、３Ｂは、本発明の原理に基づいて、バッグ及びパックに用いられるサイド結束バックルの前面にモールド成形された溝を有するヘッドセットコードホルダの一実施の形態を示す図である。
【図４】図４Ａ、４Ｂは、本発明の原理に基づいて、シャツのプラスチック製のスナップファスナの表面にモールド成形された溝を有するヘッドセットコードホルダの一実施の形態を示す図である。
【図５】図５Ａ〜５Ｄは、本発明の原理に基づいて、衣料品又はバッグに取り付けるクリップの外側にモールド成形された溝を有するヘッドセットコードホルダの一実施の形態を示す図である。
【図６】図６Ａ〜６Ｃは、本発明の原理に基づいて、バッグ及びパックに用いられるコキ（3-bar webbing slider）にモールド成形された溝を有するヘッドセットコードホルダの一実施の形態を示す図である。
【図７】図７Ａ〜７Ｄは、本発明の原理に基づいて、装飾品にモールド成形された溝を有するヘッドセットコードホルダの一実施の形態を示す図である。
【図８】図８は、本発明の原理に基づいて、磁石による取付を利用し、装飾品にモールド成形された溝を有するヘッドセットコードホルダの一実施の形態を示す図である。
【図９】図９Ａ、９Ｂは、本発明の原理に基づいて、略平行な２本の溝を有するヘッドセットコードホルダの一実施の形態を示す図である。
【図１０】図１０Ａ、１０Ｂは、本発明の原理に基づいて、交差した２本の溝を有するヘッドセットコードホルダの一実施の形態を示す図である。
【図１１】図１１Ａ、１１Ｂは、本発明の原理に基づいて、３本の溝を有するヘッドセットコードホルダの一実施の形態を示す図である。
【図１２】図１２は、本発明の原理に基づいて、バッグ及びパックに用いられるコキにモールド成形された溝を有するヘッドセットコードホルダの一実施の形態を示す図である。
【発明を実施するための形態】
【００１３】
以下、本発明の幾つかの実施の形態について説明する。説明は、図面に示す好ましい実施の形態について行う。なお、本発明の範囲は、図面に示す実施の形態及びそれらの説明に限定されるものではなく、反対に、特許請求の範囲の文言に基づいて可能な限り広く解釈されるべきである。
【００１４】
本発明の幾つかの実施の形態を開示する。なお、一実施の形態の構成と他の実施の形態の構成は、組み合わせることができる。図面に示す実施の形態を組み合わせたこのような混成の構成についても、本発明の範囲内である。
【００１５】
図１Ａ〜１Ｄは、本発明の原理に基づいて、シャツのボタンの本体１１０にモールド成形（molded into）された溝１２０を有するヘッドセットコードホルダ１００の一実施の形態を示す図である。図１Ａ〜１Ｄは、それぞれ、ヘッドセットコードホルダ１００の側面図、正面図、平面図及び斜視図である。
【００１６】
本体１１０は、標準的なボタンの代わりに、シャツ又は他の衣服の洋品（item of clothing）に取り付けられる。幾つかの実施の形態においては、ヘッドセットコードホルダ１００の本体１１０には、本体１１０を衣服の洋品に縫い付ける、すなわち固定する（affix）ための１つ以上の穴（aperture）１１５が設けられている。幾つかの実施の形態においては、本体１１０は、衣服の洋品（item of clothing）の第１の部分を、衣料品（article of clothing）の第２の部分に開閉自在に閉じることができる開閉機構（closure mechanism）として機能する。例えば、幾つかの実施の形態においては、本体１１０は、ドレスシャツ（dress shirt）に、その中央の前あき（center front placket）のボタンホール（hole）と反対側であって、対応する位置に取り付けられ、それにより、本体１１０は、ボタンホールに掛けられて、シャツのその部分をしっかりと閉じる（securely close）ことができる。
【００１７】
溝１２０は、本体１１０にモールド成形（molded）、すなわち設けられ（built into）ている。溝１２０は、ヘッドセットコードを受け止めて（receive）、解放可能に固定する（releasably secure）。幾つかの実施の形態においては、溝１２０は、ヘッドセットコードを溝１２０に入れる（access）ことができる差込口空間１２５だけを残して、溝１２０の大部分を囲む溝壁１３０によって画定される。幾つかの実施の形態においては、差込口空間１２５は、溝１２０及びヘッドセットコードよりも小さな直径を有し、それによって、溝壁１３０の範囲（confines）内でヘッドセットコードを固定し、それを取り外すためには、かなり大きな力を必要とする。幾つかの実施の形態においては、溝壁１３０の一部は、差込口空間１２５を介して、ヘッドセットコードを押し込めるように柔軟（flexible）であり、ヘッドセットコードは、溝壁１３０をその進行方向に対して外側に広げて、差込口空間１２５の直径を一時的に拡大し、差込口空間１２５を通過して溝１２０内に達することができる。幾つかの実施の形態においては、溝壁１３０はかなり硬く（substantially rigid）、それによって、ヘッドセットコードが溝壁１３０の両端部間の差込口空間１２５を通過するときに、そのスリーブ（outer sleeve）は収縮（constrict）される。
【００１８】
図２Ａ〜２Ｄは、本発明の原理に基づいて、ジッパ引具（zipper puller、商標）の溝がモールド成形された本体２１０を有するヘッドセットコードホルダ２００の一実施の形態を示す図である。図２Ａ〜２Ｄは、それぞれ、ヘッドセットコードホルダ２００の底面図、側面図、正面図及び平面図である。
【００１９】
本体２１０は、標準的なジッパの代わりに、バッグ又は衣服、例えばシャツの洋品に取り付けられる。幾つかの実施の形態においては、本体２１０は、バッグ又は衣服の洋品の第１の部分を、衣料品の第２の部分に開閉自在に閉じることができる開閉機構として機能する。例えば、幾つかの実施の形態においては、第１の部分のジッパトラック（zipper track）と第２の部分のジッパトラックを受け止めて、開閉自在に閉めるために、本体２１０は、側面２１５の反対側に形成されたチャネル（channel、図示せず）を有する。幾つかの実施の形態においては、引具２４０は、それが取り付けられたバッグ又は衣服の洋品の一部に沿って本体２１０が移動するのを容易にするために、本体２１０に連結されている。幾つかの実施の形態においては、引具２４０は、図２Ａ〜２Ｄに示すように、紐のループ（string loop）からなる（string loop）。幾つかの実施の形態においては、引具２４０は、標準的な金属製又はプラスチック製の引具（図示せず）からなる。
【００２０】
溝２２０は、本体２１０にモールド成形、すなわち設けられている。溝２２０は、ヘッドセットコードを受け止めて、解放可能に固定する。幾つかの実施の形態においては、溝２２０は、ヘッドセットコードを溝２２０に入れることを可能にする差込口空間２２５だけを残して、溝２２０の大部分を囲む溝壁２３０によって画定される。幾つかの実施の形態においては、差込口空間２２５は、溝２２０及びヘッドセットコードよりも小さな直径を有し、それによって、溝壁２３０の範囲内でヘッドセットコードを固定し、それを取り外すためには、かなり大きな力を必要とする。幾つかの実施の形態においては、溝壁２３０の一部は、差込口空間２２５を介して、ヘッドセットコードを押し込めるように柔軟であり、ヘッドセットコードは、溝壁２３０をその進行方向に対して外側に広げて、一時的に差込口空間２２５の直径を拡大し、差込口空間２２５を通過して溝２２０内に達することができる。幾つかの実施の形態においては、溝壁２３０はかなり硬く、それによって、ヘッドセットコードが溝壁２３０の両端部間の差込口空間１２５を通過するときに、そのスリーブは収縮される。
【００２１】
図３Ａ、３Ｂは、本発明の原理に基づいて、バッグ及びパックに用いられるサイド結束バックル（side squeeze buckle）の前面にモールド成形された溝を有するヘッドセットコードホルダ３００の一実施の形態を示す図である。図３Ａ、３Ｂは、それぞれ、ヘッドセットコードホルダ３００の平面図及び側面図である。
【００２２】
サイド結束バックルは、バックルの帯紐又はウェッビング（buckle strap or webbing）３４０に連結された雌型バックル端部３１５と、バックルの帯紐又はウェッビング３４５に連結された雄型バックル端部３３５とを備える。雌型バックル端部３１５は、雄型バックル端部３３５を受け入れて、脱着可能に保持する。幾つかの実施の形態においては、雌型バックル端部３１５と雄型バックル端部３３５のどちらかが、溝本体を備える。幾つかの実施の形態においては、溝本体は、図３Ａ、３Ｂに示すように雌型バックル端部３１５と雄型バックル端部３３５のいずれかから突出した突出部３１０である。幾つかの実施の形態においては、溝本体は、バックル端部の残りの部分から突出しておらず、むしろバックル端部の残りの部分と同じ高さである。さらに、幾つかの実施の形態においては、突出部３１０を含む溝本体は、バックル端部に一体形成（integrally formed）され、一方、更なる幾つかの実施の形態においては、溝本体は、バックル端部に取り付けられる別部材（separate component）である。幾つかの実施の形態においては、溝本体は、第１の帯紐及び第１の帯紐に連結されたあらゆる洋品を、第２の帯紐及び第２の帯紐に連結されたあらゆる洋品に脱着可能に連結することができる開閉機構として機能する。例えば、幾つかの実施の形態においては、溝本体は、ウェッビング３４０によってバッグの第１の部分に連結された雌型バックル端部３１５の一部である。雌型バックル端部３１５は、雄型バックル端部３３５に嵌合する。雄型バックル端部３３５は、ウェッビング３４５によってバッグの第２の部分に連結されている。
【００２３】
溝３２０は、溝本体にモールド成形、すなわち設けられている。溝３２０は、ヘッドセットコードを受け止めて、解放可能に固定する。幾つかの実施の形態においては、溝３２０は、ヘッドセットコードを溝３２０に入れることを可能にする差込口空間３２５だけを残して、溝３２０の大部分を囲む溝壁３３０によって画定される。幾つかの実施の形態においては、差込口空間３２５は、溝３２０及びヘッドセットコードよりも小さな直径を有し、それによって、溝壁３３０の範囲内でヘッドセットコードを固定し、それを取り外すためには、かなり大きな力を必要とする。幾つかの実施の形態においては、溝壁３３０の一部は、差込口空間３２５を介して、ヘッドセットコードを押し込めるように柔軟であり、ヘッドセットコードは、溝壁３３０をその進行方向に対して外側に広げて、一時的に差込口空間３２５の直径を拡大し、差込口空間３２５を通過して溝３２０内に達することができる。幾つかの実施の形態においては、溝壁３３０はかなり硬く、それによって、ヘッドセットコードが溝壁３３０の両端部間の差込口空間３２５を通過するときに、そのスリーブは収縮される。
【００２４】
溝３２０は、その用途に応じて、様々な方向にモールド成形することができる。幾つかの実施の形態においては、溝３２０は、バックル端部又は他の支持部材に対して回転するように構成された溝本体に設けられており、それによって、溝３２０は、所望の位置に回転することができる。
【００２５】
図４Ａ、４Ｂは、本発明の原理に基づいて、プラスチック製又は金属製のスナップファスナの表面にモールド成形された溝４２０を有するヘッドセットコードホルダ４００の一実施の形態を示す図である。スナップファスナは、図４Ａに示すシャツ４６０、衣服の他の洋品又はバッグに用いられることを想定している。
【００２６】
シャツのスナップファスナ（shirt snap）は、雄型スナップ（male snap）４３５と、雌型スナップ（female snap）４４５とを備え、これらは、互いに取外可能に嵌合される。例えば、幾つかの実施の形態においては、雄型スナップ４３５は、雌型スナップ４４５の開口（aperture）に確実に嵌合するスタッド（stud）４４０を有している。開口の周辺部（perimeter）は、雌型スナップ４４５のソケットリップ（socket lip）４５０及びベース（base）４５５の内側の円周によって画定される。幾つかの実施の形態においては、ソケットリップ４５０は、開口に向けてベース４５５よりも広げられており、スタッド４４０の端部は、スタッド４４０のベースよりも大きな直径を有する。このような構成において、スタッド４４０の端部は、開口に挿入されたときに、ぱちっといってきちんと締まり（snaps into place）、ソケットリップ４５０から偶然離脱することが防止される。
【００２７】
シャツのスナップファスナは、溝本体４１０を備える。幾つかの実施の形態においては、溝本体４１０は、雄型スナップ４３５又は雌型スナップ４４５に一体形成されている。さらに、幾つかの実施の形態においては、溝本体４１０は、雄型スナップ４３５又は雌型スナップ４４５に取り付けられる別部材（distinct component）である。例えば、図４Ｂは、雄型スナップ４３５から分離された溝本体４１０を備えるヘッドセットコードホルダ４００の分解組立図である。溝本体４１０は、雄型スナップ４３５の開口に確実に嵌合するベーススタッド（base stud）４１５を有している。幾つかの実施の形態においては、溝本体（スナップファスナの一部としての）は、衣服の洋品又はバッグの第１の部分を、衣料品又はバッグの第２の部分に取外可能に取り付けることができる開閉機構として機能する。
【００２８】
溝４２０は、溝本体４１０にモールド成形、すなわち設けられている。溝４２０は、ヘッドセットコードを受け止めて、解放可能に固定する。幾つかの実施の形態においては、溝４２０は、ヘッドセットコードを溝４２０に入れることを可能にする差込口空間４２５だけを残して、溝４２０の大部分を囲む溝壁４３０によって画定される。幾つかの実施の形態においては、差込口空間４２５は、溝４２０及びヘッドセットコードよりも小さな直径を有し、それによって、溝壁４３０の範囲内でヘッドセットコードを固定し、それを取り外すためには、かなり大きな力を必要とする。幾つかの実施の形態においては、溝壁４３０の一部は、差込口空間４２５を介して、ヘッドセットコードを押し込めるように柔軟であり、ヘッドセットコードは、溝壁４３０をその進行方向に対して外側に広げて、一時的に差込口空間４２５の直径を拡大し、差込口空間４２５を通過して溝４２０内に達することができる。幾つかの実施の形態においては、溝壁４３０はかなり硬く、それによって、ヘッドセットコードが溝壁４３０の両端部間の差込口空間４２５を通過するときに、そのスリーブは収縮される。図４Ａは、ユーザのシャツ４６０のスナップファスナとして使用中のヘッドセットコードホルダ４００を示している。ヘッドセットコードホルダ４００は、ユーザのｉＰｏｄ４７０をユーザのイヤホン４７５に接続するヘッドセットコード４６５を保持する。
【００２９】
溝４２０は、その用途に応じて、様々な方向にモールド成形することができる。幾つかの実施の形態においては、溝４２０は、スナップファスナの残りの部分に対して回転するように構成された溝本体４１０に設けられており、溝４２０は、所望の位置に回転することができる。
【００３０】
図５Ａ〜５Ｄは、本発明の原理に基づいて、クリップの外側にモールド成形された溝５２０を有するヘッドセットコードホルダ５００の一実施の形態を示す図である。クリップは、バッグ又は衣料品、例えばパンツ及びＴシャツの襟に取り付けることを想定している。
【００３１】
クリップは、バッグ又は衣服の洋品に取り付けられる本体５１０を有する。本体５１０は、第１の対向部５３５を有し、第１の対向部５３５は、第２の対向部５４５側へ湾曲しており、略Ｕ字形状のクリップを形成している。２つ対向部５３５、５４５の分離点（separation）は、これらを繋いでいる湾曲部分とともに、衣服の洋品又はバッグの一部を収容（receive）するチャネル（channel）５４０を形成している。幾つかの実施の形態においては、このチャネル５４０により、本体５１０は、それが取り付けられたバッグ又は衣服の洋品に沿って、確実に移動することができる。
【００３２】
溝５２０は、本体５１０にモールド成形、すなわち設けられている。溝５２０は、ヘッドセットコードを受け止めて、解放可能に固定する。幾つかの実施の形態においては、溝５２０は、ヘッドセットコードを溝５２０に入れることを可能にする差込口空間５２５だけを残して、溝５２０の大部分を囲む溝壁５３０によって画定される。幾つかの実施の形態においては、差込口空間５２５は、溝５２０及びヘッドセットコードよりも小さな直径を有し、それによって、溝壁１３０の範囲内でヘッドセットコードを固定し、それを取り外すためには、かなり大きな力を必要とする。幾つかの実施の形態においては、溝壁５３０の一部は、差込口空間５２５を介して、ヘッドセットコードを押し込めるように柔軟であり、ヘッドセットコードは、溝壁５３０をその進行方向に対して外側に広げて、一時的に差込口空間５２５の直径を拡大し、差込口空間５２５を通過して溝５２０内に達することができる。幾つかの実施の形態においては、溝壁５３０はかなり硬く、それによって、ヘッドセットコードが溝壁５３０の両端部間の差込口空間５２５を通過するときに、そのスリーブは収縮される。
【００３３】
図６Ａ〜６Ｃは、本発明の原理に基づいて、コキ（3-bar webbing slider）にモールド成形された溝６２０を有するヘッドセットコードホルダ６００の一実施の形態を示す図である。コキは、バッグ及びパックのウェッビング及び帯紐に用いられることを想定している。
【００３４】
コキは、バッグのウェッビング又は帯紐６４０を通す（receive）本体６１０を有する。本体６１０は、バー（bar）によって区切られ、帯紐６４０を通す少なくとも２つの開口（openings）６３５、６４５を有する。これらの開口６３５、６４５と、分離バーとにより、本体６１０は、それが取り付けられた帯紐６４０に沿って、確実に移動することができる。
【００３５】
溝６２０は、本体６１０にモールド成形、すなわち設けられている。溝６２０は、ヘッドセットコード６６５を受け止めて、解放可能に固定する。幾つかの実施の形態においては、溝６２０は、ヘッドセットコード６６５を溝６２０に入れることを可能にする差込口空間６２５だけを残して、溝６２０の大部分を囲む溝壁６３０によって画定される。幾つかの実施の形態においては、差込口空間６２５は、溝６２０及びヘッドセットコード６６５よりも小さな直径を有し、それによって、溝壁６３０の範囲内でヘッドセットコード６６５を固定し、それを取り外すためには、かなり大きな力を必要とする。幾つかの実施の形態においては、溝壁６３０の一部は、差込口空間６２５を介して、ヘッドセットコード６６５を押し込めるように柔軟であり、ヘッドセットコード６６５は、溝壁６３０をその進行方向に対して外側に広げて、一時的に差込口空間６２５の直径を拡大し、差込口空間６２５を通過して溝６２０内に達することができる。幾つかの実施の形態においては、溝壁６３０はかなり硬く、それによって、ヘッドセットコード６６５が溝壁６３０の両端部間の差込口空間６２５を通過するときに、そのスリーブは収縮される。
【００３６】
図１２は、本発明の原理に基づいて、バッグ及びパックに用いられるコキ（slider）にモールド成形された溝を有するヘッドセットコードホルダ１２００の他の実施の形態を示す図である。コキは、ウェッビング及び帯紐に用いることができる。コキは、ウェッビング又は帯紐を通す本体を有する。本体は、帯紐を通す少なくとも２つの開口１２３５、１２４５を有する。これらの開口１２３５、１２４５と、分離バーとにより、本体は、それが取り付けられた帯紐に沿って、確実に移動することができる。
【００３７】
溝１２２０は、本体にモールド成形、すなわち設けられている。溝１２２０は、ヘッドセットコード１２６５を受け止めて、解放可能に固定する。幾つかの実施の形態においては、溝１２２０は、ヘッドセットコード１２６５を溝１２２０に入れることを可能にする差込口空間だけを残して、溝１２２０の大部分を囲む溝壁１２３０によって画定される。幾つかの実施の形態においては、差込口空間は、溝１２２０及びヘッドセットコード１２６５よりも小さな直径を有し、それによって、溝壁１２３０の範囲内でヘッドセットコード１２６５を固定し、それを取り外すためには、かなり大きな力を必要とする。幾つかの実施の形態においては、溝壁１２３０の一部は、差込口空間１２２５を介して、ヘッドセットコード１２６５を押し込めるように柔軟であり、ヘッドセットコード１２６５は、溝壁１２３０をその進行方向に対して外側に広げて、一時的に差込口空間１２２５の直径を拡大し、差込口空間１２２５を通過して溝１２２０内に達することができる。幾つかの実施の形態においては、溝壁１２３０はかなり硬く、それによって、ヘッドセットコード１２６５が溝壁１２３０の両端部間の差込口空間１２２５を通過するときに、そのスリーブは収縮される。
【００３８】
図６Ａ〜６Ｃに示す連続した溝壁６３０とは対照的に、溝１２２０を画定する溝壁１２３０は、分割されている。幾つかの実施の形態においては、分割されて対向する溝壁１２３０は、互いにオフセットされている。溝壁１２３０を分割及びオフセットさせることによって、溝１２２０は、ヘッドセットコード１２６５を押し込む（receive）ことができる更なる又は他の差込口空間を備える。
【００３９】
図７Ａ〜７Ｄは、本発明の原理に基づいて、装飾品にモールド成形された溝７２０を有するヘッドセットコードホルダ７００、７０５を示す図である。幾つかの実施の形態においては、装飾品は、その機能的構造とは無関係な美的特徴、例えば図７Ａ、７Ｂでは星形、図７Ｃ、７Ｄでは月形を有する装飾的なアクセサリである。図１〜図６、図１２に示すボタン、ジッパ、バックル、スナップファスナ、クリップ及びコキは、それらの機能的構造とは無関係な美的特徴を持っていないので、装飾品ではない。なお、これらは、それらの機能とは完全に無関係な特定の美的形状を有するように変更した場合、装飾品と考えることができる。
【００４０】
装飾品は、バッグ又は衣料品、例えばシャツ７６０に取外可能に固定される本体７１０を備えている。幾つかの実施の形態においては、本体７１０は、そのベースから延出したピン７３５を有する。ピン７３５は、バッグ又は衣服の洋品を貫通するように構成されている。幾つかの実施の形態においては、バッグ又は衣料品に装飾品を留めるのを容易にするために、１つ以上のフランジ７４０が、ピン７３５の先端近傍に設けられている。幾つかの実施の形態においては、バッグ又は衣料品に対して装飾品を確実に留めるために、リリース（releases）７５０を有する留め金７４５（clasp）が、装飾品の一部として準備されている。
【００４１】
溝７２０は、本体７１０にモールド成形、すなわち設けられている。溝７２０は、ヘッドセットコードを受け止めて、解放可能に固定する。幾つかの実施の形態においては、溝７２０は、ヘッドセットコード７６５を溝７２０に入れることを可能にする差込口空間７２５だけを残して、溝７２０の大部分を囲む溝壁７３０によって画定される。幾つかの実施の形態においては、差込口空間７２５は、溝７２０及びヘッドセットコード７６５よりも小さな直径を有し、それによって、溝壁７３０の範囲内でヘッドセットコード７６５を固定し、それを取り外すためには、かなり大きな力を必要とする。さらに、幾つかの実施の形態においては、溝壁７３０の一部は、差込口空間７２５を介して、ヘッドセットコード７６５を押し込めるように柔軟であり、ヘッドセットコード７６５は、溝壁７３０をその進行方向に対して外側に広げて、一時的に差込口空間７２５の直径を拡大し、差込口空間７２５を通過して溝７２０内に達することができる。幾つかの実施の形態においては、溝壁７３０はかなり硬く、それによって、ヘッドセットコード７６５が溝壁７３０の両端部間の差込口空間７２５を通過するときに、そのスリーブは収縮される。図７Ａは、ユーザのシャツ７６０に使用中のヘッドセットコードホルダ７００を示している。ヘッドセットコードホルダ７００は、ユーザのｉＰｏｄ７７０をユーザのイヤホン７７５に接続するヘッドセットコード７６５を保持する。
【００４２】
図７Ｄには、留めるためにピンを用いた本体を示したが、本体は、バッグ又は衣料品に取外可能に固定する他の手段を採用することもできる。例えば、図８は、本発明の原理に基づいて、磁石による取付を利用し、装飾品にモールド成形された溝を有するヘッドセットコードホルダ８００の一実施の形態を示す図である。
【００４３】
装飾品は、磁石８３５を有する本体８１０を備えている。磁石８３５は、様々な方法で本体８１０に配置することができる。幾つかの実施の形態においては、磁石８３５は、本体８１０内に埋め込まれている。幾つかの実施の形態においては、磁石８３５は、本体８１０の外表面に取り付けられる。磁石８３５は、本体８１０を、洋品８６０、例えばバッグ又は衣料品に、洋品８６０に配置された対応する磁石又は金属片８４５に対する磁気吸引力による結合によって、取外可能に固定する。対応する磁石又は金属片８４５は、様々な方法で洋品８６０に配置することができる。幾つかの実施の形態においては、対応する磁石又は金属片８４５は、洋品８６０内に埋め込まれている。幾つかの実施の形態においては、対応する磁石又は金属片８４５は、洋品６０の外表面に取り付けられている。
【００４４】
溝８２０は、本体８１０にモールド成形、すなわち設けられている。溝８２０は、ヘッドセットコードを受け止めて、解放可能に固定する。幾つかの実施の形態においては、溝８２０は、ヘッドセットコードを溝８２０に入れることを可能にする差込口空間８２５だけを残して、溝８２０の大部分を囲む溝壁８３０によって画定される。幾つかの実施の形態においては、差込口空間８２５は、溝８２０及びヘッドセットコードよりも小さな直径を有し、それによって、溝壁８３０の範囲内でヘッドセットコードを固定し、それを取り外すためには、かなり大きな力を必要とする。幾つかの実施の形態においては、溝壁８３０の一部は、差込口空間８２５を介して、ヘッドセットコードを押し込めるように柔軟であり、ヘッドセットコードは、溝壁８３０をその進行方向に対して外側に広げて、一時的に差込口空間８２５の直径を拡大し、差込口空間８２５を通過して溝８２０内に達することができる。幾つかの実施の形態においては、溝壁８３０はかなり硬く、それによって、ヘッドセットコードが溝壁８３０の両端部間の差込口空間８２５を通過するときに、そのスリーブは収縮される。
【００４５】
さらに、幾つかの実施の形態においては、上述した実施の形態を変更して、更なる溝を設けている。更なる溝は、様々な理由で設けられており、様々な目的に合うように構成されている。
【００４６】
図９Ａ、９Ｂは、本発明の原理に基づいて、略平行な２本の溝を有するヘッドセットコードホルダ９００の実施の形態を示す図である。図９Ａ、９Ｂは、図４Ａ、４Ｂに示すスナップファスナと同様のスナップファスナに設けられた２本の溝を示しているが、この２本の溝構造及び他の複数本の溝構造は、本発明の原理に基づく任意の数の溝構造の実施の形態に含まれるものとする。
【００４７】
ヘッドセットコードホルダ９００は、溝本体９１０を備える。第１の溝９２０ａ及び第２の溝９２０ｂは、溝本体９１０にモールド成形、すなわち設けられている。溝９２０ａ、９２０ｂは、ヘッドセットコード９６５を受け止めて、解放可能に固定するとともに、互いに略平行である。幾つかの実施の形態においては、溝９２０ａ、９２０ｂは、ヘッドセットコード９６５を溝９２０ａ、９２０ｂに入れることを可能にする差込口空間９２５ａ、９２５ｂだけを残して、溝９２０ａ、９２０ｂの大部分を囲む溝壁９３０ａ、９３０ｂによってそれぞれ画定される。幾つかの実施の形態においては、差込口空間９２５ａ、９２５ｂは、溝９２０ａ、９２０ｂ及びヘッドセットコード９６５よりも小さな直径を有し、それによって、溝壁９３０ａ、９３０ｂの範囲内でヘッドセットコード９６５を固定し、それを取り外すためには、かなり大きな力を必要とする。幾つかの実施の形態においては、溝壁９３０ａ、９３０ｂの一部は、差込口空間９２５ａ、９２５ｂを介して、ヘッドセットコード９６５を押し込めるように柔軟であり、ヘッドセットコード９６５は、溝壁９３０ａ、９３０ｂをその進行方向に対して外側に広げて、一時的に差込口空間９２５ａ、９２５ｂの直径を拡大し、差込口空間９２５ａ、９２５ｂを通過して溝９２０ａ、９２０ｂ内に達することができる。幾つかの実施の形態においては、溝壁９３０ａ、９３０ｂはかなり硬く、それによって、ヘッドセットコード９６５が溝壁９３０ａ、９３０ｂの両端部間の差込口空間９２５ａ、９２５ｂを通過するときに、そのスリーブは収縮される。
【００４８】
図９Ｂは、使用中のヘッドセットコードホルダ９００を示している。ヘッドセットコードホルダ９００は、ユーザの機器をユーザのイヤホン９７５に接続するヘッドセットコード９６５の上部の分岐コード（upper branches）を保持する。２本の溝を用いることにより、本発明は、ヘッドセットコード９６５の両方の分岐コードをそれぞれ固定することができる。
【００４９】
図１０Ａ、１０Ｂは、本発明の原理に基づいて、交差した２本の溝を有するヘッドセットコードホルダ１０００の一実施の形態を示す図である。図１０Ａ、１０Ｂは、図４Ａ、４Ｂに示すスナップファスナと同様のスナップファスナに設けられた２本の溝を示しているが、この２本の溝構造及び他の複数の溝構造は、本発明の原理に基づく任意の数の溝構造の実施の形態に含まれるものとする。
【００５０】
ヘッドセットコードホルダ１０００は、溝本体１０１０を備える。第１の溝１０２０ａ及び第２の溝１０２０ｂは、溝本体１０１０にモールド成形、すなわち設けられている。溝１０２０ａ、１０２０ｂは、ヘッドセットコード１０６５を受け止めて、解放可能に固定するとともに、それらの交点から分かれて延びる分岐パス（diverging path）を有する。幾つかの実施の形態においては、溝１０２０ａ、１０２０ｂは、分岐パスを有するが、実際には互いに交差しない。
【００５１】
幾つかの実施の形態においては、溝１０２０ａ、１０２０ｂは、ヘッドセットコード１０６５を溝１０２０ａ、１０２０ｂに入れることを可能にする差込口空間だけを残して、溝１０２０ａ、１０２０ｂの大部分を囲む溝壁１０３０ａ、１０３０ｂによってそれぞれ画定される。幾つかの実施の形態においては、差込口空間は、溝１０２０ａ、１０２０ｂ及びヘッドセットコード１０６５よりも小さな直径を有し、それによって、溝壁１０３０ａ、１０３０ｂの範囲内でヘッドセットコード１０６５を固定し、それを取り外すためには、かなり大きな力を必要とする。幾つかの実施の形態においては、溝壁１０３０ａ、１０３０ｂの一部は、差込口空間を介して、ヘッドセットコード１０６５を押し込めるように柔軟であり、ヘッドセットコード１０６５は、溝壁１０３０ａ、１０３０ｂをその進行方向に対して外側に広げて、一時的に差込口空間の直径を拡大し、差込口空間を通過して溝９２０ａ、９２０ｂ内に達することができる。幾つかの実施の形態においては、溝壁１０３０ａ、１０３０ｂはかなり硬く、それによって、ヘッドセットコード１０６５が溝壁１０３０ａ、１０３０ｂの両端部間の差込口空間を通過するときに、そのスリーブは収縮される。
【００５２】
図１０Ｂは、使用中のヘッドセットコードホルダ１０００を示している。ヘッドセットコードホルダ１０００は、ユーザの機器をユーザのイヤホン１０７５に接続するヘッドセットコード１０６５を保持する。分岐パスを有する２本の溝を用いることにより、ユーザは、どちらの方向にもヘッドセットコード１０６５を固定することができる。さらに、２本の溝９２０ａ、９２０ｂを用いることにより、図９Ｂに示す実施の形態と同様に、ヘッドセットコードの両方の分岐コードをそれぞれ固定することができる。
【００５３】
図１１Ａ、１１Ｂは、本発明の原理に基づいて、３本の溝を有するヘッドセットコードホルダ１１００の一実施の形態を示す図である。図１１Ａ、１１Ｂは、図４Ａ、４Ｂに示すスナップファスナと同様のスナップファスナに設けられた３本の溝を示しているが、この３本の溝構造及び他の複数本の溝構造は、本発明の原理に基づく任意の数の溝構造の実施の形態に含まれるものとする。
【００５４】
ヘッドセットコードホルダ１１００は、溝本体１１１０を備える。第１の溝１１２０ａ、第２の溝１１２０ｂ及び第３の溝１１２０ｃは、溝本体１１１０にモールド成形、すなわち設けられている。溝１１２０ａ、１１２０ｂ、１１２０ｃは、ヘッドセットコード１１６５を受け止めて、解放可能に固定する。幾つかの実施の形態においては、溝１１２０ａ、１１２０ｂ、１１２０ｃは、互いに略平行である。幾つかの実施の形態においては、溝１１２０ａ、１１２０ｂ、１１２０ｃは、順次走っている（run in sequence）。なお、溝の配置に関しては、様々な異なる構成を採用することができる。さらに、幾つかの実施の形態においては、図に示す２本又は３本以上の溝を溝本体に配置するようにしてもよい。
【００５５】
幾つかの実施の形態においては、溝１１２０ａ、１１２０ｂ、１１２０ｃは、ヘッドセットコード１１６５を溝１１２０ａ、１１２０ｂ、１１２０ｃに入れることを可能にする差込口空間１１２５ａ、１１２５ｂ、１１２５ｃだけを残して、溝１１２０ａ、１１２０ｂ、１１２０ｃの大部分を囲む溝壁１１３０ａ、１１３０ｂ、１１３０ｃによってそれぞれ画定される。幾つかの実施の形態においては、差込口空間１１２５ａ、１１２５ｂ、１１２５ｃは、溝１１２０ａ、１１２０ｂ、１１２０ｃ及びヘッドセットコード１１６５よりも小さな直径を有し、それによって、溝壁１１３０ａ、１１３０ｂ、１１３０ｃの範囲内でヘッドセットコード１１６５を固定し、それを取り外すためには、かなり大きな力を必要とする。幾つかの実施の形態においては、溝壁１１３０ａ、１１３０ｂ、１１３０ｃの一部は、差込口空間１１２５ａ、１１２５ｂ、１１２５ｃを介して、ヘッドセットコード１１６５を押し込めるように柔軟であり、ヘッドセットコード１１６５は、溝壁１１３０ａ、１１３０ｂ、１１３０ｃをその進行方向に対して外側に広げて、一時的に差込口空間１１２５ａ、１１２５ｂ、１１２５ｃの直径を拡大し、差込口空間１１２５ａ、１１２５ｂ、１１２５ｃを通過して溝１１２０ａ、１１２０ｂ、１１２０ｃ内に達することができる。幾つかの実施の形態においては、溝壁１１３０ａ、１１３０ｂ、１１３０ｃはかなり硬く、それによって、ヘッドセットコード１１６５が溝壁１１３０ａ、１１３０ｂ、１１３０ｃの両端部間の差込口空間１１２５ａ、１１２５ｂ、１１２５ｃを通過するときに、そのスリーブは収縮される。
【００５６】
図１１Ｂは、使用中のヘッドセットコードホルダ１１００を示している。ヘッドセットコードホルダ１１００は、ユーザの機器をユーザのイヤホン１１７５に接続するヘッドセットコード１１６５を保持する。３本の溝を用いることにより、ユーザは、ヘッドセットコード１１６５の余分な長さを固定及び／又は調節する手段を得ることができる。さらに、３本の溝のうちの２本の溝は、図９Ｂに示す実施の形態と同様に、ヘッドセットコードの両方の分岐コードをそれぞれ固定するのに用いることができる。
【００５７】
幾つかの実施の形態において、本発明の溝は、約２ｍｍ以下の直径を有する。幾つかの実施の形態においては、本発明の溝は、約１．５ｍｍ以下の直径を有する。なお、様々な溝の大きさは、本発明の範囲内である。さらに、複数本の溝構造は、異なる大きさのヘッドセットコード又は同じヘッドセットコードの異なる部分に適応するために、１つの大きさの、特定の数の溝、あるいは異なる大きさの、特定の数の溝を有するようにしてもよい。
【００５８】
以上、発明の構成及び動作の原理の理解を容易にするために、特定の実施の形態及びその詳細について説明した。このような特定の実施の形態及びその詳細は、特許請求の範囲を限定するものではない。当業者には明らかなように、選択した実施の形態は、本発明の要旨を逸脱しない範囲において変更することができる。
【図１Ａ】
2011526456.tif 000003
【図１Ｂ】
2011526456.tif 000004
【図１Ｃ】
2011526456.tif 000005
【図１Ｄ】
2011526456.tif 000006
【図２Ａ】
2011526456.tif 000007
【図２Ｂ】
2011526456.tif 000008
【図２Ｃ】
2011526456.tif 000009
【図２Ｄ】
2011526456.tif 000010
【図３Ａ】
2011526456.tif 000011
【図３Ｂ】
2011526456.tif 000012
【図４Ａ】
2011526456.tif 000013
【図４Ｂ】
2011526456.tif 000014
【図５Ａ】
2011526456.tif 000015
【図５Ｂ】
2011526456.tif 000016
【図５Ｃ】
2011526456.tif 000017
【図５Ｄ】
2011526456.tif 000018
【図６Ａ】
2011526456.tif 000019
【図６Ｂ】
2011526456.tif 000020
【図６Ｃ】
2011526456.tif 000021
【図７Ａ】
2011526456.tif 000022
【図７Ｂ】
2011526456.tif 000023
【図７Ｃ】
2011526456.tif 000024
【図７Ｄ】
2011526456.tif 000025
【図８】
2011526456.tif 000026
【図９Ａ】
2011526456.tif 000027
【図９Ｂ】
2011526456.tif 000028
【図１０Ａ】
2011526456.tif 000029
【図１０Ｂ】
2011526456.tif 000030
【図１１Ａ】
2011526456.tif 000031
【図１１Ｂ】
2011526456.tif 000032
【図１２】
2011526456.tif 000033
【国際調査報告】
2011526456.tif 000034